(57)【要約】      （修正有）【課題】軽量で簡単な構造でありながら、排ガス試料の採取管を鉛直方向に対して平行に保持しつつ運搬するとともに、上下方向へ移動させて、その吸引口の高さを容易に調節することが可能な採取管吊り上げ装置を提供する。【解決手段】採取管吊り上げ装置は、採取管を鉛直方向に対して平行に保持する架台１と、この架台に設置され採取管の栓体を保持する採取管保持手段２と、採取管保持手段２を上下動させる昇降手段３を備えており、架台１は、鉛直方向に対して平行に設置され下端にキャスタ４ａが取り付けられた４本の支柱４と、これら４本の支柱１の上端に設置され開口部５ａを有する平面視矩形状の天板５と、隣り合う支柱４，４を連結する補強部材６と、支柱４の側面に一端が連結されるアウトリガ７によって構成されている。【選択図】図１
2015083957.tif 000002
【特許請求の範囲】
【請求項１】
吸引口側が直角に曲折され直管部に栓体が外挿された採取管を煙道の上面に設けられた採取孔に対して挿入可能に保持する採取管吊り上げ装置であって、
鉛直方向に対して平行に設置され下端にキャスタが取り付けられた４本の支柱と、
前記支柱の長手方向に沿って上下動可能に設置されて前記採取管の前記栓体を保持する採取管保持手段と、
前記支柱の上部に設置される滑車と、
この滑車に巻回され一端が前記採取管保持手段に連結される紐状体と、を備えたことを特徴とする採取管吊り上げ装置。
【請求項２】
前記支柱に対して平行にそれぞれ設置される４本のガイドレールを備え、
前記採取管保持手段は、
前記支柱に対して平行をなすように前記ガイドレールによってスライド可能にそれぞれ保持される二対の連結部材と、
前記支柱に対して直交し、かつ、水平面内で平行に設置されるとともに前記二対の連結部材に両端がそれぞれ固定される一対のガイド部材と、
この一対のガイド部材により長手方向へ沿ってスライド自在に両端をそれぞれ保持される一対の挟持部材と、からなることを特徴とする請求項１記載の採取管吊り上げ装置。
【請求項３】
前記支柱から外側へ突出するように設置される水平部と、
この水平部に接続され前記支柱に対して平行をなすとともに伸縮自在に形成され下端に接地板が取り付けられた垂直部と、からなり、側面視「Ｌ」字状をなすアウトリガを備えたことを特徴とする請求項１又は請求項２に記載の採取管吊り上げ装置。
【請求項４】
前記煙道の上面に前記採取孔を挟んで平行に設置される一対の搬送用レールを備え、
前記支柱の下端には、前記キャスタに代えてガイドローラが取り付けられ、
このガイドローラは前記搬送用レールによって、その内部を転動しながら長手方向に沿って移動可能に保持されることを特徴とする請求項１乃至請求項３のいずれか１項に記載の採取管吊り上げ装置。
【発明の詳細な説明】
【技術分野】
【０００１】
本発明は、煙道内を流れる排ガスを採取する採取管の吊り上げ装置に係り、特に、排ガスの流れ方向に対して直交するように採取管をトラバースさせることが可能な採取管吊り上げ装置に関する。
【背景技術】
【０００２】
ボイラーなどの燃焼装置で発生した排ガスは、煙道と呼ばれる通路によって煙突へ導かれる。この排ガスは、大気汚染の防止を目的とした法令等による規制対象となっており、煙道から排ガスを採取して、有害物質の有無を定期的に検査することが義務付けられている。
【０００３】
排ガスの検査方法について図６及び図７を用いて説明する。図６（ａ）は一般的な火力発電プラントの外観を示す図であり、図６（ｂ）は採取管を用いて煙道から排ガスを採取する様子を模式的に示した図である。また、図７（ａ）及び図７（ｂ）はそれぞれ煙道の平面図及び側面図である。なお、図７（ｂ）では、鉛直方向の位置（高さ）が異なる４つの測定点を「○」で示している。
【０００４】
図６（ａ）に矢印Ｆで示すように、ボイラー等で発生し、集塵装置や脱硫装置によって各処理を施された排ガスは煙道５１によって煙突５２へ導かれる。そして、例えば、測定箇所５３において煙突５２に送り込まれる直前の排ガスが採取される。
図６（ｂ）に示すように、測定箇所５３では、煙道５２の上面にフランジ５４ａを有する採取孔５４が設けられている。そして、排ガスの流れ（矢印Ｆ）に直交するように採取孔５４から煙道５１の内部へ挿入された採取管５５を用いて排ガスが採取される。
採取管５５は、中空の円筒体であり、円板状の栓体５６が外挿される直管部５５ａの一端が曲折されて吸引口５５ｂが設けられるとともに、直管部５５ａの他端に、後述する導管６０（図３（ａ）参照）を接続するための導出口５５ｃが設けられた構造となっている。
栓体５６の中央には挿通孔（図示せず）が設けられており、採取管５５の直管部５５ａは栓体５６に対して直交し、かつ、摺動可能に、この挿通孔に挿通されている。そして、栓体５６は、図示しないボルト等の固定手段によって直管部５５ａに固定されている。すなわち、栓体５６は、この固定手段による拘束を解除することで、直管部５５ａに対し、その長手方向の位置を調節可能となっている。
【０００５】
採取管５５は、クレーン等によって測定箇所５３まで搬送され、吸引口５５ｂを下方に向けた状態で架台５７に吊り下げられ、栓体５６がフランジ５４ａに当接するまで採取孔５４に挿入される。そして、栓体５６がフランジ５４ａに固定された後、ボルト等を緩めるなどして直管部５５ａに対する拘束が解除され、ウィンチ（図示せず）等を用いて採取管５５の上下方向の位置が調節される。なお、ウィンチは採取孔５４の周囲に組み上げられた足場５８などの上に設置される。
通常、採取孔５４は閉栓されているが、排ガスを採取する際には開栓する必要がある。そこで、採取孔５４に挿入された採取管５５の周囲から排ガスが漏れ出さないように、栓体５６が採取孔５４の蓋としてフランジ５４ａに取り付けられるのである。
【０００６】
一般に、煙道５１は内径が大きいため、排ガスの流れ方向だけでなく、それに垂直な平面内についても、複数の箇所において、排ガスを採取する必要がある。例えば、図７（ａ）は、煙道５１の長手方向に沿って等間隔に４つの採取孔５４が設けられた状態を示し、図７（ｂ）には、高さの異なる４つの箇所に測定点５９が設定された状態を示している。すなわち、この場合には、合計２０箇所の測定点５９について排ガスを採取することになる。
しかしながら、従来、予め決められた複数の測定点５９に対し吸引口５５ｂをそれぞれ一致させるように採取管５５を上下方向に移動させることは容易でなく、複数の作業者が時間をかけて慎重に行っていた。また、１つの採取孔５４から他の採取孔５４まで、採取管５５を移動させる際には、クレーンを用いなければならないため、作業が大掛かりなものとなっていた。さらに、ウィンチを設置するために組み上げた足場５８や採取管５５を吊り下げるために設置した架台５７を一旦解体して、次の採取孔５４の周囲で、それらを再度組み上げるという無駄な作業が発生していた。
【０００７】
そこで、このような課題を解決するものとして、上下方向の位置を調節可能に採取管を保持しつつ搬送する装置が求められている。なお、現状、本願発明以外に、このような要求を満たす発明は開示されていない。ただし、長尺部材を鉛直方向に対して平行な状態に保持して運搬する装置については、例えば、特許文献１に、「パームバンチ採取装置」という名称で、パーム油を含むパーム実の房を採取する装置に関する発明が開示されている。
特許文献１に開示された発明は、先端に鎌を取り付けた細長いポールが挿通された中空円筒状の細長い支持管を垂直軸及び水平軸を中心に揺動可能に支持する台車を備えたことを特徴とする。
このような構造によれば、剛性の高いポールの使用が可能となるため、短時間にパームバンチを採取することができる。
【０００８】
また、特許文献２には、「ケーブル昇降装置」という名称で、床面に開口部を備えて形成され内部に多数のケーブルが収納されたケーブルピットの上方に配置され、ケーブルを上方に保持する装置に関する発明が開示されている。
特許文献２に開示された発明は、ケーブルピットの開口部の両側に配置される脚部と、この脚部に取り付けられ開口部の上方に配置される支持部を有する架台と、支持部から垂下される垂下部材を上下動させる駆動装置を備えたことを特徴としている。
このような構造によれば、ケーブルピット内から所望のケーブルを容易に持ち上げることができる
【０００９】
さらに、特許文献３には、「支柱の立設及び引抜機能を備えた運搬車」という名称で、バレーボール用の支柱の立設と引抜を可能とする機能を備えた運搬車に関する考案が開示されている。
特許文献３に開示された考案は、バレーボール用支柱を２本の支柱把持管によって支持し、この支柱把持管に内設された螺子軸を回動することで、上記支柱を立設状態で保持したまま、昇降させる構造となっている。
このような構造によれば、支柱の運搬、立設及び引抜を機械的に行うことができる。したがって、人力作業に伴う事故や床面等の損傷を防ぐとともに、支柱をセットしたままで保管することが可能である。
【先行技術文献】
【特許文献】
【００１０】
【特許文献１】特開平７−８７８２８号公報
【特許文献２】特許第４９１２１２６号公報
【特許文献３】実登３０１７５９５号公報
【発明の概要】
【発明が解決しようとする課題】
【００１１】
しかしながら、上述の従来技術である特許文献１に開示された発明においては、保持した長尺部材（ポール）を鉛直方向に対して平行に保持した状態で、上下方向へ移動させる構造となっていないため、本願発明と同じ用途に用いることはできない。
【００１２】
また、特許文献２や特許文献３に開示された発明や考案では、長尺部材に螺子軸等を連結し、この螺子軸等を回動することにより、長尺部材を上下方向へ移動させる構造であり、上下方向へ移動させる距離が長い場合には、螺子軸を長く形成しなければならないため、装置の構造が複雑で重くなり、製造コストが高くなる上、長尺部材を上下方向へ効率良く移動させることができないという課題を有している。
【００１３】
本発明はかかる従来の事情に対処してなされたものであって、軽量で簡単な構造でありながら、排ガス試料の採取管を鉛直方向に対して平行に保持しつつ運搬するとともに、上下方向へ移動させて、その吸引口の高さを容易に調節することが可能な採取管を提供することを目的とする。
【課題を解決するための手段】
【００１４】
上記目的を達成するため、請求項１記載の発明は、吸引口側が直角に曲折され直管部に栓体が外挿された採取管を煙道の上面に設けられた採取孔に対して挿入可能に保持する採取管吊り上げ装置であって、鉛直方向に対して平行に設置され下端にキャスタが取り付けられた４本の支柱と、支柱の長手方向に沿って上下動可能に設置されて採取管の栓体を保持する採取管保持手段と、支柱の上部に設置される滑車と、この滑車に巻回され一端が採取管保持手段に連結される紐状体と、を備えたことを特徴とするものである。
このような構成の採取管吊り上げ装置においては、直管部が採取管保持手段に保持された状態で紐状体を操作すると、採取管保持手段が上下方向へ移動するという作用を有する。
【００１５】
また、請求項２に記載の発明は、請求項１記載の採取管吊り上げ装置において、支柱に対して平行にそれぞれ設置される４本のガイドレールを備え、採取管保持手段は、支柱に対して平行をなすようにガイドレールによってスライド可能にそれぞれ保持される二対の連結部材と、支柱に対して直交し、かつ、水平面内で平行に設置されるとともに二対の連結部材に両端がそれぞれ固定される一対のガイド部材と、この一対のガイド部材により長手方向へ沿ってスライド自在に両端をそれぞれ保持される一対の挟持部材と、からなることを特徴とするものである。
このような構成の採取管吊り上げ装置においては、請求項１記載の発明の作用に加えて、直管部が一対の挟持部材の間に配置され、かつ、栓体が一対の挟持部材の上面に設置されるように採取管を設置した後、一対の挟持部材を直管部に当接するまで互いの間隔を狭めると、採取管が鉛直方向に対して平行をなすように保持されるという作用を有する。
【００１６】
さらに、請求項３に記載の発明は、請求項１又は請求項２に記載の採取管吊り上げ装置において、支柱から外側へ突出するように設置される水平部と、この水平部に接続され支柱に対して平行をなすとともに伸縮自在に形成され下端に接地板が取り付けられた垂直部と、からなり、側面視「Ｌ」字状をなすアウトリガを備えたことを特徴とするものである。
このような構成の採取管吊り上げ装置においては、請求項１又は請求項２に記載の発明の作用に加えて、路面等に対する設置状態が安定するという作用を有する。
【００１７】
請求項４に記載の発明は、請求項１乃至請求項３のいずれか１項に記載の採取管吊り上げ装置において、煙道の上面に採取孔を挟んで平行に設置される一対の搬送用レールを備え、支柱の下端には、キャスタに代えてガイドローラが取り付けられ、このガイドローラは搬送用レールによって、その内部を転動しながら長手方向に沿って移動可能に保持されることを特徴とするものである。
このような構造の採取管吊り上げ装置においては、請求項１乃至請求項３のいずれか１項に記載の発明の作用に加えて、路面等に対する設置状態がさらに安定するという作用を有する。
【発明の効果】
【００１８】
本発明の請求項１に記載の発明によれば、紐状体を操作するという簡単な操作によって、採取管を上下方向へ移動させることができる。そして、下端を路面等から浮かせた状態に採取管を採取管保持手段によって保持しつつ、採取管を鉛直方向に対して平行な姿勢のまま、搬送することができる。したがって、採取孔の場所まで採取管吊り上げ装置を移動させるだけで、採取管を採取孔の上方へ短時間で容易に配置することができる。
また、栓体が採取管保持手段によって保持されているため、栓体を採取孔のフランジ等に取り付ける作業や、栓体と直管部の間の拘束を解除して吸引口の高さを調節するという作業を容易に行うことができる。
【００１９】
本発明の請求項２に記載の発明によれば、請求項１記載の発明の効果を奏することに加え、直管部を一対の挟持部材で横方向から挟持することにより、採取管を確実に保持できるという効果を奏する。
【００２０】
本発明の請求項３に記載の発明によれば、請求項１又は請求項２に記載の発明の効果を奏することに加え、採取管の搬送や設置作業を安全に行うことができる。さらに、採取管に取り付けた状態で保管し、保管スペースの削減を図ることが可能である。
【００２１】
本発明の請求項４に記載の発明によれば、採取管の搬送や設置作業及び保管時の安全性が高まるという請求項３に記載の発明の効果がより一層発揮される。
【図面の簡単な説明】
【００２２】
【図１】（ａ）及び（ｂ）はそれぞれ本発明の実施の形態に係る採取管吊り上げ装置の実施例１の外観斜視図と、その上部を拡大して示した図である。
【図２】（ａ）及び（ｂ）はそれぞれ図１（ａ）におけるＡ方向矢視図及びＢ方向矢視図であり、（ｃ）は同図（ｂ）におけるＣ−Ｃ線矢視断面図である。
【図３】（ａ）は実施例１の採取管吊り上げ装置に排ガス試料の採取管が取り付けられた状態を示す図であり、（ｂ）は上面に実施例１の採取管吊り上げ装置が設置された状態を模式的に示す煙道の側面図である。
【図４】本発明の実施の形態に係る採取管吊り上げ装置の実施例２の外観斜視図である。
【図５】（ａ）は実施例２の採取管吊り上げ装置が設置される煙道の平面図であり、（ｂ）は上面に実施例２の採取管吊り上げ装置が設置された状態を模式的に示す煙道の正面図である。
【図６】（ａ）は一般的な火力発電プラントの外観を示す図であり、（ｂ）は採取管を用いて煙道から排ガスを採取する様子を模式的に示した図である。
【図７】（ａ）及び（ｂ）はそれぞれ煙道の平面図及び側面図である。
【発明を実施するための形態】
【００２３】
本発明の採取管吊り上げ装置は、排ガス検査用の採取管に用いられるものである。以下、発電プラントに設置された煙道に設置する場合を例にとって、本発明の実施の形態に係る採取管吊り上げ装置の構造と、その作用及び効果について、具体的に説明する。
【実施例１】
【００２４】
実施例１の採取管吊り上げ装置について図１〜図３を用いて説明する。
図１（ａ）は本実施例の採取管吊り上げ装置の外観を示した斜視図であり、図１（ｂ）は図１（ａ）において採取管吊り上げ装置の上部を拡大して示した図である。図２（ａ）及び図２（ｂ）はそれぞれ図１（ａ）におけるＡ方向矢視図及びＢ方向矢視図であり、図２（ｃ）は図２（ｂ）におけるＣ−Ｃ線矢視断面図である。図３（ａ）は実施例１の採取管吊り上げ装置に排ガス試料の採取管が取り付けられた状態を示す図であり、図３（ｂ）は上面に実施例１の採取管吊り上げ装置が設置された状態を模式的に示す煙道の側面図である。
なお、図２では採取管保持手段以外の構成要素については図示を省略し、図２（ｃ）については、断面を示すハッチングを省略している。また、以下の説明において、図６及び図７を用いて説明した構成要素については、同一の符号を付してその説明を省略する。
【００２５】
図１（ａ）及び図１（ｂ）に示すように、本実施例の採取管吊り上げ装置は、採取管５５を鉛直方向に対して平行に保持する架台１と、この架台１に設置され採取管５５の栓体５６を保持する採取管保持手段２と、採取管保持手段２を上下動させる昇降手段３によって構成されている。
架台１は、鉛直方向に対して平行に設置され下端にキャスタ４ａが取り付けられた４本の支柱４と、これら４本の支柱４の上端に設置され開口部５ａを有する平面視矩形状の天板５と、隣り合う支柱４，４を連結する補強部材６と、支柱４の側面に一端が連結されるアウトリガ７と、からなる。
【００２６】
４本の支柱４は、架台１を上方から見た場合に、天板５の４つの頂点にそれぞれ上端が連結されており、補強部材６は天板５の各辺に対して平行に設置されている。ただし、煙道５１の採取孔５４の上方に採取管５５を配置する際に、採取孔５４と干渉するおそれがあるため、架台１の下部においては、天板５の４辺のうち、少なくとも１辺を除いて、補強部材６が設置されている。
また、キャスタ４ａはロック機構を有するとともに、支柱４に対し、その長手方向に平行な軸を中心に回動自在に取り付けられている。
【００２７】
アウトリガ７は、側面視「Ｌ」字状をなしており、支柱４から外側へ突出するように設置される水平部と、この水平部に接続され支柱４に対して平行をなす垂直部とからなる。垂直部は、油圧シリンダ（図示せず）を内蔵する収納パイプ（図示せず）と、下端に接地板７ａが取り付けられるとともに、収納パイプに上下動自在に収納される摺動脚（図示せず）とからなる。すなわち、アウトリガ７は、油圧シリンダを操作して収納パイプを上下動させることにより、接地板７ａを路面等に対して接離可能に伸縮する構造となっている。なお、水平部同士及び垂直部同士はそれぞれ補強部材８によって連結されている。
【００２８】
採取管保持手段２は、平行に設置される一対の枠体９，９と、この枠体９，９に直交するように、それらの４つの角部にそれぞれ取り付けられる４本の連結部材１０と、からなる。  
昇降手段３は、４本の支柱４に対してそれぞれ平行に設置され連結部材１０をその長手方向に沿ってスライド可能に保持するガイドレール（図示せず）と、天板５に設置される滑車１１及びワイヤレール１２と、一端が採取管保持手段２に連結され、滑車１０に巻回されるとともに、ワイヤレール１２によって案内される４本のワイヤ１３と、この４本のワイヤ１３の他端をまとめる連結具（図示せず）に一端が連結されるとともに他端が架台１に沿って垂下される操作用ベルト１４と、からなる。
なお、本実施例では、ベルトとワイヤを使い分けているが、このような構造に限定されるものではない。すなわち、少なくとも紐状体であれば良く、ベルトとワイヤのどちらを用いても本発明の作用及び効果は同様に発揮される。
【００２９】
図２（ａ）に示すように、枠体９は、平行に配置された一対の挟持部材１５，１５と、長手方向へ沿ってスライド自在に挟持部材１５，１５の両端を保持する一対のガイド部材１６，１６と、からなる。
挟持部材１５には、枠体９に直交する軸を中心として回動可能にギヤ１７が一端に接続され他端に操作ピン１８が接続された一対のストッパー１９，１９と、このストッパー１９，１９が両端に接続され一対のギヤ１７，１７を互いに引き離す方向へ付勢する押しバネ２０が上面に設置されている。また、ガイド部材１６には、ギヤ１７と噛み合うラック２１が長手方向に対して平行に設置されている。
【００３０】
ギヤ１７は、一定方向のみの回転を許容し逆方向への回転を阻止する図示しない係止刃を備えており、この係止刃がガイド部材１６のラック２１に係止することで、図２（ａ）に矢印Ｄで示すように、挟持部材１５，１５が互いに近付くように移動する場合のみ回転可能とするラチェット機構を構成している。なお、挟持部材１５の上方へ突出するように設置された操作ピン１８，１８を手でつかんで、ストッパー１９，１９を互いに近付く方向へ移動させると、ギヤ１７がラック２１から離脱し、ラチェット機構が作用しなくなる。その結果、挟持部材１５，１５は矢印Ｄで示す方向と逆の方向へも移動可能となる。
【００３１】
図２（ｂ）及び図２（ｃ）に示すように、ガイド部材１６の内部には、連結部材１０及びガイド部材１６に直交する軸を中心として回動可能にギヤ１７が一端に接続され他端に操作ピン１８が接続された一対のストッパー１９，１９と、このストッパー１９，１９が両端に接続され一対のギヤ１７，１７を互いに引き離す方向へ付勢する押しバネ２０が設置されている。また、連結部材１０には、ギヤ１７と噛み合うラック２１が長手方向に対して平行に設置されている。
さらに、ギヤ１７は、図２（ｂ）に矢印Ｅで示すように、ガイド部材１６，１６が互いに近付くように移動する場合のみ回転可能とするラチェット機構を構成している。なお、ガイド部材１６の側方へ突出するように設置された操作ピン１８，１８を手でつかんで、ストッパー１９，１９を互いに近付く方向へ移動させると、ギヤ１７がラック２１から離脱し、ラチェット機構が作用しなくなるため、ガイド部材１６，１６は矢印Ｅで示す方向と逆の方向へも移動可能となる。
【００３２】
このような構造の採取管吊り上げ装置において、図３（ａ）に示すように、直管部５５ａが枠体９の挟持部材１５，１５の間に配置され、かつ、栓体５６が枠体９，９の間に配置され導管６０が天板５の開口部５ａを通るように採取管５５を架台１に設置した後、枠体９に設置された挟持部材１５，１５を直管部５５ａに当接するまで水平に移動させるとともに、上下に配置された挟持部材１５，１５が栓体５６に当接するまで枠体９，９の間隔を狭めると、採取管５５が鉛直方向に対して平行をなすように採取管保持手段２によって保持される。すなわち、本発明の採取管吊り上げ装置によれば、直管部５５ａを挟持部材１５，１５で横方向から挟持し、栓体５６を挟持部材１５，１５で上下方向から挟持することにより、採取管５５を確実に保持することができる。
なお、操作用ベルト１４を手でつかんで下方へ引下げると、ワイヤ１３に連結された連結部材１０が吊り上げられ、採取管保持手段２が上方へ移動する。その結果、採取管５５が上方へ移動する。一方、操作用ベルト１４をつかんだ手を緩めると、採取管保持手段２は自重と採取管５５の重さにより、下方へ移動する。
【００３３】
以上説明したように、本発明の採取管吊り上げ装置によれば、操作用ベルト１４を操作するという簡単な操作によって、採取管５５を上下方向へ移動させることができる。そして、下端を路面等から浮かせた状態に採取管５５を採取管保持手段２によって保持しつつ、採取管５５を鉛直方向に対して平行な姿勢のまま、搬送することができる。この場合、図３（ｂ）に示すように、架台１の中心が採取孔５４の中心と一致するように、採取管吊り上げ装置を移動させるだけで、採取管５５を採取孔５４の上方へ短時間で容易に配置することができる。
また、栓体５６が採取管保持手段２によって保持されているため、栓体５６を採取孔５４のフランジ５４ａに取り付ける作業や、栓体５６と直管部５５ａの間の拘束を解除して吸引口５５ｂの高さを調節するという作業を容易に行うことができる。
さらに、アウトリガ７によって路面等に対する設置状態が安定するため、採取管５５の搬送や設置作業を安全に行うことができる。加えて、採取管５５を架台１に取り付けた状態で保管できるため、保管スペースの削減を図ることも可能である。
【実施例２】
【００３４】
実施例２の採取管吊り上げ装置について図４及び図５を用いて説明する。
図４は本実施例の採取管吊り上げ装置の外観斜視図である。また、図５（ａ）は本実施例の採取管吊り上げ装置が設置される煙道の平面図であり、図５（ｂ）は上面に本実施例の採取管吊り上げ装置が設置された状態を模式的に示す煙道の正面図である。なお、図５（ｂ）は図５（ａ）を長手方向に見た図に相当する。また、図１〜図３を用いて説明した構成要素については、同一の符号を付してその説明を省略する。
【００３５】
図４に示すように、本実施例の採取管吊り上げ装置は、実施例１の採取管吊り上げ装置において、支柱４の下端にキャスタ４ａの代わりにガイドローラ４ｂが取り付けられるとともに、このガイドローラ４ｂを、その内部で転動可能に、かつ、長手方向に沿って移動可能に保持する一対の搬送用レール２２，２２が、図５（ａ）に示すように、煙道５１の上面に採取孔５４を挟んで平行に設置されたことを特徴とする。
このような構造の採取管吊り上げ装置においては、路面等に対する設置状態が実施例１の場合よりもさらに安定する。したがって、採取管５５の搬送や設置作業及び保管時の安全性がより一層高まるという効果を奏する。
【産業上の利用可能性】
【００３６】
本発明の請求項１乃至請求項４に記載された発明は、煙道に限らず、各種の装置や設備から内部の流体（主にガス）を採取する際に適用可能である。
【符号の説明】
【００３７】
１…架台  ２…採取管保持手段  ３…昇降手段  ４…支柱  ４ａ…キャスタ  ４ｂ…ガイドローラ  ５…天板  ５ａ…開口部  ６…補強部材  ７…アウトリガ  ７ａ…接地板  ８…補強部材  ９…枠体  １０…連結部材  １１…滑車  １２…ワイヤレール  １３…ワイヤ  １４…操作用ベルト  １５…挟持部材  １６…ガイド部材  １７…ギヤ  １８…操作ピン  １９…ストッパー  ２０…押しバネ  ２１…ラック  ２２…搬送用レール  ５１…煙道  ５２…煙突  ５３…測定箇所  ５４…採取孔  ５４ａ…フランジ  ５５…採取管  ５５ａ…直管部  ５５ｂ…吸引口  ５５ｃ…導出口  ５６…栓体  ５７…架台  ５８…足場  ５９…測定点  ６０…導管
【図１】
2015083957.tif 000003
【図２】
2015083957.tif 000004
【図３】
2015083957.tif 000005
【図４】
2015083957.tif 000006
【図５】
2015083957.tif 000007
【図６】
2015083957.tif 000008
【図７】
2015083957.tif 000009